(57)【要約】【課題】別部品を用いることなくガラス部材を備えるようにした冷蔵庫、および、冷蔵庫に備えられるガラス部材を提供する。【解決手段】本実施形態に係る冷蔵庫は、曲げ部を有するガラス部材を備えている。また、本実施形態に係るガラス部材は、曲げ部を有しており、本実施形態に係る冷蔵庫に備えられる。【選択図】図２
2020122633.tif 000002
【特許請求の範囲】
【請求項１】
曲げ部を有するガラス部材を備える冷蔵庫。
【請求項２】
前記ガラス部材は、ガラス製の平面状の部材を曲げたものである請求項１に記載の冷蔵庫。
【請求項３】
前記ガラス部材は、前記曲げ部の少なくとも一方側に平面部を有する請求項１または２に記載の冷蔵庫。
【請求項４】
前記ガラス部材は、端部に前記曲げ部を有する請求項１から３の何れか１項に記載の冷蔵庫。
【請求項５】
前記曲げ部の曲げ角度は９０°以上である請求項１から４の何れか１項に記載の冷蔵庫。
【請求項６】
前記曲げ部の曲げ半径は２０ｍｍ以上である請求項１から５の何れか１項に記載の冷蔵庫。
【請求項７】
前記曲げ部の厚さは、当該曲げ部以外の部分の厚さよりも薄い請求項１から６の何れか１項に記載の冷蔵庫。
【請求項８】
前記曲げ部は、内径と外径の長さが異なる請求項１から７の何れか１項に記載の冷蔵庫。
【請求項９】
前記曲げ部は、内面側において曲がり始める始点と外面側において曲がり始める始点とが異なる請求項１から８の何れか１項に記載の冷蔵庫。
【請求項１０】
複数の貯蔵室扉を備え、
前記ガラス部材は、複数の前記貯蔵室扉にそれぞれ備えられており、
隣接する前記貯蔵室扉に備えられる前記ガラス部材は、前記曲げ部の形状が同じである請求項１から９の何れか１項に記載の冷蔵庫。
【請求項１１】
前記ガラス部材は、一端側に設けられる前記曲げ部の形状と、他端側に設けられる前記曲げ部の形状とが異なる請求項１から１０の何れか１項に記載の冷蔵庫。
【請求項１２】
前記ガラス部材は、前記曲げ部の一部に平面部を有する請求項１から１１の何れか１項に記載の冷蔵庫。
【請求項１３】
前記ガラス部材は、前記曲げ部の一方側にある端面が前記曲げ部の他方側にある表面に対して垂直ではない非垂直形状となっている請求項１から１２の何れか１項に記載の冷蔵庫。
【請求項１４】
請求項１から１３の何れか１項の冷蔵庫に備えられるガラス部材。
【発明の詳細な説明】
【技術分野】
【０００１】
本実施形態は、冷蔵庫、および、冷蔵庫に備えられるガラス部材に関する。
【背景技術】
【０００２】
従来、例えば意匠性を高めるために筐体の表面に化粧板を設けることがある。例えば冷蔵庫であれば、貯蔵室を開閉する貯蔵室扉の前面に板状のガラス部材を設けることが考えられている（例えば、特許文献１参照）。
【先行技術文献】
【特許文献】
【０００３】
【特許文献１】特開２０１６−５０７６０号公報
【発明の概要】
【発明が解決しようとする課題】
【０００４】
ところで、従来では、この種のガラス部材は、貯蔵室扉の前面において上下左右の四方から別部材により囲むことで固定されている。そのため、ガラス部材と別部品との寸法管理が必須となり、その寸法管理が不十分であると、ガラス部材と別部品との間に隙間が生じたり、ガラス部材と別部品とがずれたりして冷蔵庫の外観が損なわれてしまう。また、ガラス部材と別部品は、それぞれ異なる素材で形成されている。そのため、素材の相違からガラス部材と別部品との間に質感などの相違が生じてしまい、この点も、冷蔵庫の外観が損なわれる一要因となっている。
【０００５】
そこで、本実施形態は、別部品を用いることなくガラス部材を備えるようにした冷蔵庫、および、冷蔵庫に備えられるガラス部材を提供する。
【課題を解決するための手段】
【０００６】
本実施形態に係る冷蔵庫は、曲げ部を有するガラス部材を備えている。
【０００７】
本実施形態に係るガラス部材は、曲げ部を有しており、本実施形態に係る冷蔵庫に備えられる。
【図面の簡単な説明】
【０００８】
【図１】本実施形態に係る冷蔵庫の全体の構成例を概略的に示す正面図
【図２】本実施形態に係るガラス部材の要部の構成例を概略的に示す図
【図３】本実施形態に係るガラス部材の曲げ部およびその周辺部分の構成例を拡大して概略的に示す図
【図４】本実施形態に係る観音開き式の貯蔵室扉の構成例を概略的に示す図
【図５】本実施形態に係る引き出し式の貯蔵室扉の構成例を概略的に示す図
【図６】本実施形態に係る冷蔵庫の一部の構成例を概略的に示す斜視図
【図７】本実施形態に係るガラス部材の変形例を概略的に示す図（その１）
【図８】本実施形態に係るガラス部材の変形例を概略的に示す図（その２）
【図９】本実施形態に係るガラス部材の側面部の構成例を概略的に示す図
【発明を実施するための形態】
【０００９】
以下、冷蔵庫に係る一実施形態について図面を参照しながら説明する。図１に例示する冷蔵庫１は、その外郭を構成する矩形箱状の断熱箱体２の内部に複数の貯蔵室、この場合、冷蔵室３、野菜室４、製氷室５、小冷凍室６、大冷凍室７を備えている。この場合、冷蔵室３は、断熱箱体２の最上部に設けられている。野菜室４は、冷蔵室３の下部に設けられている。製氷室５および小冷凍室６は、野菜室４の下部において左右に並べて設けられている。大冷凍室７は、製氷室５および小冷凍室６の下部、換言すれば、断熱箱体２の最下部に設けられている。断熱箱体２は、内箱および外箱の間に真空断熱パネルや発泡ウレタンなどの断熱材を備えた構成である。
【００１０】
また、複数の貯蔵室３，４，５，６，７は、それぞれ貯蔵室扉によって開閉されるようになっている。この場合、冷蔵室３は、冷蔵庫１の左右方向に回動可能に設けられた、いわゆる観音開き式の左冷蔵室扉３Ｌおよび右冷蔵室扉３Ｒによって開閉されるようになっている。この種の観音開き式の左冷蔵室扉３Ｌおよび右冷蔵室扉３Ｒは、フレンチタイプの扉と称される場合もある。
【００１１】
一方、野菜室４は、冷蔵庫１の前後方向に沿って出し入れ可能に設けられた、いわゆる引き出し式の野菜室扉４Ｄによって開閉されるようになっている。また、製氷室５は、冷蔵庫１の前後方向に沿って出し入れ可能に設けられた、いわゆる引き出し式の製氷室扉５Ｄによって開閉されるようになっている。また、小冷凍室６は、冷蔵庫１の前後方向に沿って出し入れ可能に設けられた、いわゆる引き出し式の小冷凍室扉６Ｄによって開閉されるようになっている。また、大冷凍室７は、冷蔵庫１の前後方向に沿って出し入れ可能に設けられた、いわゆる引き出し式の大冷凍室扉７Ｄによって開閉されるようになっている。
【００１２】
本実施形態に係る冷蔵庫１は、複数の貯蔵室扉３Ｌ，３Ｒ，４Ｄ，５Ｄ，６Ｄ，７Ｄの前面に、それぞれガラス部材１００を備えている。次に、このガラス部材１００について、詳細に説明する。
【００１３】
図２に例示するように、ガラス部材１００は、いわゆる強化ガラス製の平面状の板材を曲げ加工することにより構成されている。ガラス部材１００を構成する強化ガラスは、所定の板厚、例えば、少なくとも板厚３．２ｍｍ以上を有する物理的に強化されている物理的強化ガラスや、所定の液体によって化学的に強化処理が施されている化学的強化ガラスなどを用いることができる。平面状の板材を曲げ加工することにより構成されるガラス部材１００は、その内面側が中実となる、いわゆる蒲鉾型の部材ではなく、その内面と外面とが全体にわたってほぼあるいは完全に平行に延びる薄い部材となっている。
【００１４】
ガラス部材１００の長手方向の寸法は、例えば当該ガラス部材１００が取り付けられる部位の大きさや形状などに応じて、適宜変更して設定することができる。また、ガラス部材１００の短手方向の寸法は、例えば当該ガラス部材１００が取り付けられる部位の大きさや形状などに応じて、適宜変更して設定することができる。また、ガラス部材１００は、長手方向と短手方向の区別が無い正方形状に形成してもよい。また、ガラス部材１００は、矩形状に限られず、種々の形状に形成することができる。
【００１５】
ガラス部材１００は、少なくとも一部に曲げ部１０１を有している。曲げ部１０１は、強化ガラス製の平面状の板材に曲げ加工を施すことにより形成されたものである。曲げ加工の手法としては、例えば、加熱した板材を型に沿わせて自重により曲げる手法、加熱した板材をローラにより曲げる手法など、種々の手法を用いることができる。
【００１６】
ガラス部材１００は、この曲げ部１０１を利用して、当該ガラス部材１００の一部を貯蔵室扉の図示しない係止部に引っ掛けるようにして取り付けられるようになっている。よって、ガラス部材１００は、従来の別部品を用いなくとも、貯蔵室扉の前面に強固に固定することができる。
【００１７】
ガラス部材１００は、曲げ部１０１の両端部に平面部１０２，１０３を備えている。つまり、ガラス部材１００は、平面部１０２，１０３の間に曲げ部１０１を有する構成となっている。平面部１０２は、ガラス部材１００が貯蔵室扉に取り付けられた状態で冷蔵庫１の前面側となる面部である。以下、平面部１０２を前面部１０２と称する。一方、平面部１０３は、ガラス部材１００が貯蔵室扉に取り付けられた状態で冷蔵庫１の側面側となる面部である。以下、平面部１０３を側面部１０３と称する。なお、ガラス部材１００は、曲げ部１０１の少なくとも一方に平面部を有する構成としてもよい。
【００１８】
ガラス部材１００は、冷蔵庫１の左右方向に沿う長手方向の端部に曲げ部１０１を有している。この場合、ガラス部材１００は、長手方向の両端部に曲げ部１０１を有する構成としてもよいし、長手方向の一端部に曲げ部１０１を有し、他端部に曲げ部１０１を有しない構成としてもよい。
【００１９】
曲げ部１０１の曲げ角度αは、適宜変更して設定することができるが、少なくとも、例えば９０°以上であることが好ましく、より好ましくは、例えば９５°以上であるとよい。また、曲げ部１０１の曲げ角度αは、１８０°よりも小さい角度範囲内において、適宜変更して設定することができる。
【００２０】
曲げ部１０１の曲げ半径Ｒは、適宜変更して設定することができるが、少なくとも、例えば２０ｍｍ以上であることが好ましく、より好ましくは、例えば２５ｍｍ以上であるとよい。また、曲げ部１０１の曲げ半径Ｒの上限値は、適宜変更して設定することができる。
【００２１】
平面部１０２の長手方向の寸法は、例えばガラス部材１００が取り付けられる部位の大きさや形状などに応じて、適宜変更して設定することができる。また、平面部１０２の短手方向の寸法は、例えばガラス部材１００が取り付けられる部位の大きさや形状などに応じて、適宜変更して設定することができる。
【００２２】
側面部１０３の長さＬは、適宜変更して設定することができるが、本開示に係るガラス部材１００では、例えば３５ｍｍ以下となっている。なお、側面部１０３の長さＬについては、例えば３５ｍｍ以下が好ましいというわけではなく、例えばガラス部材１００が取り付けられる部位の大きさや形状などに応じて、例えば３５ｍｍよりも短くしてもよいし長くしてもよい。つまり、側面部１０３の長さＬは、例えばガラス部材１００が取り付けられる部位の大きさや形状などに応じて最適な長さを設定するとよい。
【００２３】
また、図３に例示するように、曲げ部１０１の厚さＴ１は、当該曲げ部１０１以外の部分、例えば、前面部１０２や側面部１０３の厚さＴ２よりも薄くなっている。なお、曲げ部１０１の厚さＴ１と前面部１０２や側面部１０３の厚さＴ２との差は、例えば、曲げ部１０１の曲げ角度α、曲げ半径Ｒ、ガラス部材１００の強度、ガラス部材１００を構成する材料の性質など応じて異なる。
【００２４】
また、曲げ部１０１は、内径Ｋ１と外径Ｋ２の長さが異なっている。この場合、曲げ部１０１は、外径Ｋ２の方が内径Ｋ１よりも大きくなっている。なお、曲げ部１０１の内径Ｋ１と外径Ｋ２との差は、例えば、曲げ部１０１の曲げ角度α、曲げ半径Ｒ、ガラス部材１００の強度、ガラス部材１００を構成する材料の性質など応じて異なる。
【００２５】
また、曲げ部１０１は、内面側において曲がり始める始点Ｓ１と外面側において曲がり始める始点Ｓ２とが前後において異なっている。この場合、曲げ部１０１は、始点Ｓ１の方が始点Ｓ２よりも後側に位置するようになっている。なお、曲げ部１０１は、始点Ｓ２の方が始点Ｓ１よりも後側に位置するように構成してもよい。
【００２６】
また、曲げ部１０１は、内面側において曲がり始める始点Ｓ３と外面側において曲がり始める始点Ｓ４とが左右において異なっている。この場合、曲げ部１０１は、始点Ｓ３の方が始点Ｓ４よりも左右方向の内側に位置するようになっている。なお、曲げ部１０１は、始点Ｓ４の方が始点Ｓ３よりも左右方向の内側に位置するように構成してもよい。
【００２７】
また、曲げ部１０１は、始点Ｓ１と始点Ｓ２とを結ぶ直線Ｌ１、および、始点Ｓ３と始点Ｓ４とを結ぶ直線Ｌ２が、ガラス部材１００の内側において交わり、外側において交わらない関係となっている。
【００２８】
また、図２に例示するように、ガラス部材１００は、その端面、この場合、曲げ部１０１の一方側にある側面部１０３の端面１００Ｅが表面、この場合、曲げ部１０１の他方側にある前面部１０２の表面１００Ｈに対して平行な形状となっている。つまり、ガラス部材１００は、側面部１０３の端面１００Ｅつまり曲げ部１０１の一方側にある端面１００Ｅが前面部１０２の表面１００Ｈつまり曲げ部１０１の他方側にある表面１００Ｈに対して垂直ではない非垂直形状となっている。なお、ガラス部材１００は、その端面１００Ｅが表面１００Ｈに対して垂直ではない構成となっていればよく、従って、端面１００Ｅが表面１００Ｈに対して傾斜した構成となっていてもよい。
【００２９】
また、図４に例示するように、例えば冷蔵室３の左冷蔵室扉３Ｌおよび右冷蔵室扉３Ｒのような観音開き式の貯蔵室扉に取り付けるガラス部材１００は、長手方向の一端部、この場合、基端側の端部に曲げ部１０１を有し、他端部、この場合、自由端側の端部に曲げ部１０１を有しない構成とするとよい。
【００３０】
また、図５に例示するように、例えば野菜室４の野菜室扉４Ｄのような引き出し式の貯蔵室扉に取り付けるガラス部材１００は、長手方向の両端部に曲げ部１０１を有する構成とするとよい。
【００３１】
また、複数の貯蔵室扉にそれぞれガラス部材１００を取り付ける場合には、隣接する貯蔵室扉に備えられるガラス部材１００の曲げ部１０１の形状を、同じ曲げ形状とするとよい。図６に例示する構成例では、左冷蔵室扉３Ｌおよび右冷蔵室扉３Ｒに取り付けられているガラス部材１００の曲げ部１０１の曲げ形状が、これら左冷蔵室扉３Ｌおよび右冷蔵室扉３Ｒの下方に隣接する野菜室扉４Ｄに取り付けられているガラス部材１００の曲げ部１０１の曲げ形状と同じ形状となっている。
【００３２】
このように、隣接する貯蔵室扉に備えられるガラス部材１００の曲げ部１０１の形状を同じ曲げ形状にすることで、隣接する貯蔵室扉の間で一体感あるいは連続感を形成することができ、冷蔵庫１の外観の向上やデザイン性の向上を図ることができる。
【００３３】
また、左冷蔵室扉３Ｌ，右冷蔵室扉３Ｒ，野菜室扉４Ｄには、それぞれ、取手部３ＬＴ，３ＲＴ，４ＤＴが設けられている。そのため、ガラス部材１００は、これら取手部３ＬＴ，３ＲＴ，４ＤＴに対応する切欠き部１００Ｋを有する構成とするとよい。
【００３４】
また、図７に例示するように、ガラス部材１００は、一端側に設けられる曲げ部１０１の形状と、他端側に設けられる曲げ部１０１の形状とを異ならせてもよい。つまり、ガラス部材１００は、一端側と他端側とで、曲げ部１０１の曲げ角度αや曲げ半径Ｒを異ならせてもよい。
【００３５】
また、図８に例示するように、ガラス部材１００は、曲げ部１０１の一部に平面部１０４を有する構成としてもよい。曲げ部１０１の一部に形成する平面部の数は、１つでもよいし、２つ以上の複数であってもよい。そして、１つの曲げ部１０１に対し複数の平面部を形成する場合、それら複数の平面部の傾斜角度を異ならせるようにしてもよい。
【００３６】
また、図９に例示するように、例えば冷蔵室３の左冷蔵室扉３Ｌおよび右冷蔵室扉３Ｒのような観音開き式の貯蔵室扉にガラス部材１００を取り付ける場合には、側面部１０３の長さＬを、左冷蔵室扉３Ｌおよび右冷蔵室扉３Ｒを回動可能に支持するヒンジ部材１０の回動軸部１０ａを基準に設定するようにしてもよい。図９に例示する構成例では、側面部１０３は、ヒンジ部材１０の回動軸部１０ａよりも後側まで延びる長さとなっている。なお、側面部１０３は、ヒンジ部材１０の回動軸部１０ａよりも前側まで延びる長さとしてもよいし、ヒンジ部材１０の回動軸部１０ａまで延びる長さとしてもよい。
【００３７】
以上に説明した本開示に係る冷蔵庫１によれば、ガラス部材１００は、曲げ部１０１を有しているので、その曲げ部１０１を利用して当該ガラス部材１００を貯蔵室扉の前面に取り付けることができる。よって、別部品を用いることなくガラス部材１００を備えることができる。
【００３８】
なお、本開示に係るガラス部材１００の構成例は、冷蔵庫１を構成する部材であれば、ガラス製以外の部材、例えば、樹脂製の部材、金属製の部材、透明な部材、不透明な部材などの種々の部材にも適用することができる。また、本開示に係るガラス部材１００の構成例は、貯蔵室扉の前面に取り付けられる部材に限られるものではなく、冷蔵庫１を構成する部材であれば、例えば、チルド室の前部を開閉するチルド室扉、庫内灯のカバー、貯蔵室の背面に取り付けられるパネル部材、冷気ダクトを形成するダクト形成部材、貯蔵室の裏面に設けられるドアポケット、貯蔵室内や貯蔵容器内に設けられる仕切り部材などの種々の部材にも適用することができる。即ち、本開示に係る技術思想は、曲げ部を有する冷蔵庫構成部材に適用可能である。
【００３９】
以上、本発明の複数の実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００４０】
図面中、１は冷蔵庫、３Ｌは左冷蔵室扉（貯蔵室扉）、３Ｒは右冷蔵室扉（貯蔵室扉）、４Ｄは野菜室扉（貯蔵室扉）、５Ｄは製氷室扉（貯蔵室扉）、６Ｄは小冷凍室扉（貯蔵室扉）、７Ｄは大冷凍室扉（貯蔵室扉）、１００はガラス部材、１０１は曲げ部、１０２は前面部（平面部）、１０３は側面部（平面部）、１０４は曲げ部の一部に設けられる平面部を示す。
【図１】
2020122633.tif 000003
【図２】
2020122633.tif 000004
【図３】
2020122633.tif 000005
【図４】
2020122633.tif 000006
【図５】
2020122633.tif 000007
【図６】
2020122633.tif 000008
【図７】
2020122633.tif 000009
【図８】
2020122633.tif 000010
【図９】
2020122633.tif 000011